(57)【特許請求の範囲】
【請求項１】
筒状のフード部を有する第１コネクタには仮係止位置と本係止位置との間で変位可能なレバーが回動可能に組付けられ、第２コネクタが前記フード部内に浅く嵌合した仮嵌合状態で、前記レバーを前記仮係止位置から前記本係止位置まで回動操作することにより前記第２コネクタの外面に突出形成されたカムフォロアが前記レバーに形成したカム溝に沿って変位することで前記第２コネクタを前記フード部内の正規深さまで嵌合させるレバー式コネクタであって、
前記レバーには本ロック片が設けられる一方、
前記フード部には前記第２コネクタが前記フード部内に正規深さまで嵌合するまでの間、前記カムフォロアを逃がす逃がし溝が切欠き形成され、前記レバーが本係止位置にある状態で前記本ロック片が前記逃がし溝の溝縁に係止可能となっていることを特徴とするレバー式コネクタ。
【請求項２】
前記本ロック片は、長さ方向の中央部に形成されたヒンジを中心にシーソ状に変位可能に形成されるとともに、前記本ロック片の延出方向の一端部には前記逃がし溝の溝縁に係止する係止部が形成され、他端部は前記係止を解除する解除部が形成されていることを特徴とする請求項１記載のレバー式コネクタ。
【請求項３】
前記レバーには、前記レバーが仮係止位置にあるときに前記フード部の係止受け部に弾性的に係止して前記レバーを仮係止位置に保持するが、前記第２コネクタがフード部に対して仮嵌合させることに伴って前記係止受け部に対する係止が解除される仮ロック片が設けられるとともに、この仮ロック片と本ロック片とは双方の延出方向が互いに平行となるように形成されていることを特徴とする請求項１又は請求項２に記載のレバー式コネクタ。
【請求項４】
前記第２コネクタが前記フード部内に浅く嵌合させるときの嵌合方向である第１嵌合方向と、前記フード部に対し仮嵌合させた状態から正規深さまで嵌合させるときの第２嵌合方向とが交差する方向に設定される一方、
前記カム溝の入口部分には前記第１の嵌合方向から進入する前記カムフォロアを受ける受け部が形成されるとともに、前記カム溝には前記カムフォロアが前記受け部に至る手前の部位において前記カムフォロアの進入方向と交差する方向に延出する突縁が突出して形成され、前記カムフォロアがこの突縁に当接しこれを乗り越えて前記第２コネクタが前記第１コネクタに仮嵌合することを特徴とする請求項１乃至請求項３のいずれか１項に記載のレバー式コネクタ。
【発明の詳細な説明】
【技術分野】
【０００１】
本発明はレバー式コネクタに関するものである。
【背景技術】
【０００２】
従来から知られるレバー式コネクタとして、例えば下記特許文献１のものが挙げられる。ここに開示されたレバー式コネクタは、雄コネクタ側に回動可能にレバーを備えている。レバーはカム溝が形成された一対のアーム部を備え、両アーム部の先端同士を操作部によって連結した構成となっている。一方、雌コネクタの外面には一対のカムフォロアが突出している。雌雄のコネクタを浅く嵌合させるとカムフォロアがカム溝の入口に進入する。この状態で、操作部を操作してレバーを回動させると、カムフォロアがカム溝内に沿って移動する。この過程で生じる倍力作用によって、雌雄コネクタを比較的軽い操作力でもって正規嵌合状態に至らせることができる。
【先行技術文献】
【特許文献】
【０００３】
【特許文献１】特開２０００−１２１５４号公報
【発明の概要】
【発明が解決しようとする課題】
【０００４】
雌雄のコネクタが正規嵌合となる位置までレバーを回動させると、レバーはロックがかけられる。上記した従来構造のものでは、レバーの操作部に形成されたロック部が、雌コネクタ側に形成されたロック受け部に係止するようになっている。
【０００５】
しかし、上記の構造では、ロック受け部はレバーをロックさせるための専用構造となっているため、雌側のコネクタを大型化させ、また構造を複雑化させる原因となっていた。
【０００６】
本発明は上記のような事情に基づいて完成されたものであって、コネクタの構成を簡素することができるレバー式コネクタを提供することを目的とする。
【課題を解決するための手段】
【０００７】
本発明のレバー式コネクタは、筒状のフード部を有する第１コネクタには仮係止位置と本係止位置との間で変位可能なレバーが回動可能に組付けられ、第２コネクタがフード部内に浅く嵌合した仮嵌合状態で、レバーを仮係止位置から本係止位置まで回動操作することにより第２コネクタの外面に突出形成されたカムフォロアが前記レバーに形成したカム溝に沿って変位することで第２コネクタをフード部内の正規深さまで嵌合させるレバー式コネクタであって、レバーには本ロック片が設けられる一方、フード部には第２コネクタがフード部内に正規深さまで嵌合するまでの間、カムフォロアを逃がす逃がし溝が切欠き形成され、レバーが本係止位置にある状態で本ロック片が逃がし溝の溝縁に係止可能となっていることを特徴とする。
【発明の効果】
【０００８】
本発明によれば、第２コネクタをフード部内に仮嵌合させると、カムフォロアが逃がし溝を介してフード部の外側に突出し、レバーのカム溝の入口部分に臨む。この状態で、レバーを本係止位置へ向けて回動させると、カムフォロアがカム溝に沿って変位し、レバーが本係止位置に至ると、第２コネクタがフード部内において正規深さまで嵌合する。そして、レバーが本係止位置に至ると、本ロック片が逃がし溝の溝縁に係止してレバーが本係止位置でロックされる。
【０００９】
このように、本発明によれば、逃がし溝を利用して本ロック片を係止させるようにしたため、本ロック片に対する専用の係止受け部を構成する場合に比較してコネクタの構成を簡素化することができる。
【図面の簡単な説明】
【００１０】
【図１】レバーが本係止位置まで回動されて雌雄のコネクタが正規に嵌合した状態を示す側面図
【図２】同じく正面図
【図３】図１のＡ−Ａ線断面図
【図４】図２のＢ−Ｂ線断面図
【図５】雌雄コネクタの仮嵌合状態を示す側面図
【図６】雄コネクタハウジングの側面図
【図７】雌コネクタハウジングの側面図
【図８】レバーの正面図
【図９】雌コネクタハウジングが雄コネクタハウジングに仮嵌合して仮係止状態が解除可能となっていることを示す図５のＣ−Ｃ線断面図
【図１０】図８のＤ−Ｄレバーにおける一方のアーム部の内面側を示す断面図
【発明を実施するための形態】
【００１１】
本発明における好ましい実施の形態を説明する。
（１）本発明のレバー式コネクタは、本ロック片が、長さ方向の中央部に形成されたヒンジを中心にシーソ状に変位可能に形成されるとともに、本ロック片の延出方向の一端部には逃がし溝の溝縁に係止する係止部が形成され、他端部はこの係止を解除する解除部が形成される構成とすることが好ましい。
このような構成によれば、本ロック片の係止を解除する場合には、解除部を押し込み操作すると、ヒンジを介して係止部側は逃がし溝の溝縁から解除する方向へ変位するため、簡単に本係止ロックを解除することができる。
【００１２】
（２）レバーには、レバーが仮係止位置にあるときにフード部の係止受け部に弾性的に係止してレバーを仮係止位置に保持するが、第２コネクタがフード部に対して仮嵌合することに伴って係止受け部に対する係止が解除される仮ロック片が設けられるとともに、この仮ロック片と本ロック片とは双方の延出方向が互いに平行となるように形成されると良い。
このような構成によれば、レバーを成形するための金型構造において、仮ロック片と本ロック片を共に金型の開き方向に沿って形成することができるから、金型構造を簡素化することができる。
【００１３】
（３）第２コネクタがフード部内に仮嵌合させるときの嵌合方向である第１嵌合方向と、フード部に対し浅く嵌合させた状態から正規深さまで嵌合させるときの第２嵌合方向とが交差する方向に設定される一方、カム溝の入口部分には第１の嵌合方向から進入するカムフォロアを受ける受け部が形成されるとともに、カム溝にはカムフォロアが受け部に至る手前の部位においてカムフォロアの進入方向と交差する方向に延出する突縁が突出して形成され、カムフォロアがこの突縁に当接しこれを乗り越えて第２コネクタが第１コネクタに仮嵌合する構成としてもよい。
このような構成によれば、第２コネクタを第１コネクタに対し第１嵌合方向に沿って移動させると、カムフォロアは突縁に当接しこれを乗り越えた状態で、第１・第２のコネクタ同士は浅い嵌合状態になる。作業者は、カムフォロアが突縁を乗り越えるときの節度感を通して、第１・第２のコネクタが浅く嵌合したことを感得することができる。また、この浅い嵌合状態では突縁がカムフォロアに対する簡易な外れ止め機能も果たしている。
【００１４】
＜実施例＞
次に、本発明レバー式コネクタを具体化した実施例について、図面を参照しつつ説明する。
図６はレバー１が取付けられる側の雄コネクタハウジング２を示している。雄コネクタハウジング２はフード部３を有している。フード部３は前方（同図中の左方）へ開口する角筒状に形成されている。同図に示すように、フード部３の開口縁のうち、上縁Ｕは下縁Ｌに比べて奥方へ引っ込んで位置している。これは、後述するように、雌コネクタハウジング４を嵌合方向を変えた二段階で嵌合させるためである。すなわち、雌コネクタハウジング４は雄コネクタハウジング２に対し図示上方から嵌合される（雌雄のコネクタハウジング２，４が浅く嵌め合された仮嵌合状態：図５状態）。その後、図示水平方向に嵌合されて正規嵌合状態（図１状態）に至るようにしてある。したがって、フード部３内の底面であって開口面寄りの部位は雌コネクタハウジング４が上方から嵌め入れられたときに、雌コネクタハウジング４を受け止める受承面５となる（図３参照）。
【００１５】
一方、フード部３の後部には複数のキャビティ（図示しない）が形成された端子収容部６が連続して形成されている。各キャビティは前後方向に沿って貫通して形成され、内部には雄端子金具（図示しない）が抜け止め状態で収容される。各雄端子金具の先端部はフード部３内に高さ方向及び幅方向にそれぞれ並列した状態で突出する。
【００１６】
フード部３の両側面にはレバー１を回動可能に支持するための支持軸７が一対、突設されている。支持軸７はフード部３の両側面において端子収容部６寄りの位置でかつ高さ方向に関しては中央部よりやや上方に寄った位置に配されている。両支持軸７は短円柱状に形成され、その外周面の二カ所からはレバー１を抜け止めするための抜け止め部８が径方向外方へ向けて突出形成されている。図示のものでは、両抜け止め部８は周方向に９０°以上離間した位置に形成されている。
【００１７】
また、フード部３の両側面には、後述する雌コネクタハウジング４との嵌合時において、雌コネクタハウジング４に突設されたカムフォロア９を逃がすための一対の逃がし溝１０が形成されている。両逃がし溝１０はフード部３の開口縁から切り込まれ、水平方向（雌雄コネクタＦ，Ｍの正規嵌合状態へ向けての嵌合方向）に沿って形成されている。また、両逃がし溝１０が形成されている高さは上記した支持軸７とほぼ同じ位置に形成されており、逃がし溝１０は支持軸７の直前部位にまで延びている。さらに、両逃がし溝１０の入口側（フード部３の開口縁側）は上下縁共に拡開し、カムフォロア９を誘導可能としている。但し、図示のものでは、上側の誘導面１１Ａの始端は下側の誘導面１１Ｂの始端よりも奥方に引っ込んだ位置としてあり、また、その終端も同様に、上側の誘導面１１Ａの方がより奥方にまで達している。
【００１８】
さらに、フード部３の両側面の開口縁であって、逃がし溝１０の下方には一対の仮係止溝１２が切欠き形成されている。仮係止溝１２はレバー１の仮ロック片１３と係止してレバー１を仮係止位置に保持するためのものである。
【００１９】
図７は雌コネクタハウジング４を示している。雌コネクタハウジング４はフード部３の内側に適合して嵌り合うことができるようなブロック状に形成されている。雌コネクタハウジング４には前後方向に沿って複数のキャビティ１４が形成され、内部には雌端子金具が抜け止めされた状態で収容されている。
【００２０】
また、雌コネクタハウジング４の両外側面には一対のカムフォロア９が幅方向に突出して形成されている。両カムフォロア９は雌雄コネクタＦ，Ｍの仮嵌合状態では、フード部３の外方へ突出して逃がし溝１０の入口部分に臨む。すなわち、そのときのカムフォロア９の軸心の高さ位置は逃がし溝１０の中心線の高さ位置とほぼ揃うようになっている。雌雄コネクタＦ，Ｍが仮嵌合状態から正規嵌合状態に至るまでの間は、カムフォロア９は逃がし溝１０を通してフード部３の外方に突出し逃がし溝１０に沿いながらその終端に至るまで変位する。
【００２１】
さらに、雌コネクタハウジング４の両外側面であって、両カムフォロア９の下方にはレバー１の仮係止状態を解除するための解除突部１５が配されている。両解除突部１５は、図９に示すように、その上下面が傾斜方向が反対であるガイド面１６となっている。解除突部１５は雌雄のコネクタハウジング２，４が仮嵌合状態になったときに、その突出端部が仮係止溝１２内に突入する。これにより、解除突部１５は仮係止溝１２に係止していたレバー１の仮ロック片１３の先端部を外方へ押し出すように作用し、仮ロック片１３と仮係止溝１２との係止を解除可能としている。
【００２２】
レバー１は、一対のアーム部１７Ａ，Ｂと両アーム部１７Ａ，Ｂの先端同士を連結する操作部１８とから一体に形成されている。両アーム部１７Ａ，Ｂの中央部には取付孔１９が同軸で貫通している。この取付孔１９には支持軸７の両抜け止め部８と対応する位置に逃がし凹部２０が連通して形成されている。取付孔１９は、両逃がし凹部２０と抜け止め部８とを対応させつつ支持軸７と整合させることで、支持軸７を取付孔１９内に通すことができ、その結果、レバー１がフード部３を跨ぐようにして組み付けられる。但し、このようにしてレバー１が雄コネクタハウジング２へ組み付け可能となる位置は、レバー１が通常に回動操作される角度範囲（レバー１が図５に示す仮係止位置と図２に示す本係止位置との間の角度範囲）の外側に設定されている。逆に言えば、レバー１がこの角度範囲内で操作される限りは、両逃がし凹部２０と抜け止め部８とが同時に整合して支持軸７から脱落してしまうことがないように設定されている。
【００２３】
図１０に示すように、両アーム部１７Ａ，Ｂの内面には取付孔１９へ向けて誘い込み凹所２１が形成されている。この誘い込み凹所２１は上記したように、レバー１を雄コネクタハウジング２に組み付けるときの方向に沿って形成されている。すなわち、誘い込み凹所２１の一端側はアーム部１７Ａ，Ｂの側縁に開口し、取付孔１９側へ向けて真っ直ぐに延びている。誘い込み凹所２１は、両逃がし凹部２０を含めた取付孔１９全体が含まれる幅寸法をもって形成されており、レバー１の組み付け時には支持軸７を誘い込み凹所２１内の両側面に沿って案内することができる。
【００２４】
また、両アーム部１７Ａ，Ｂにおいて操作部１８と反対側の端部には前記した仮ロック片１３が撓み可能に設けられている。図１等に示すように、仮ロック片１３は両アーム部１７Ａ，Ｂに形成された開口部２２内に配されている。本実施例においては、仮ロック片１３の外面はアーム部１７Ａ，Ｂの外面から内方へ引っ込んで位置しているが、仮ロック片１３の内面は後述する仮係止突部２３を除き、アーム部１７Ａ，Ｂの内面とほぼ面一なるように形成されている。
【００２５】
さらに、仮ロック片１３は開口部２２内において誘い込み凹所２１の延出方向とほぼ平行に延出している。図１０に示すように、仮ロック片１３はアーム部１７Ａ，Ｂの中央部寄りの端部が開口部２２の開口縁に接続された固定端となり、逆にアーム部１７Ａ，Ｂの側縁寄りの端部が自由端となった片持ち状に形成され、アーム部１７Ａ，Ｂの肉厚方向へ撓み変形可能となっている。さらに、仮ロック片１３の自由端部の内面側には仮係止溝１２の溝縁に係止可能な仮係止突部２３が突出している。
【００２６】
さらにまた、仮係止突部２３は、図８に示すように、仮ロック片１３の自然状態において両アーム部１７Ａ，Ｂの内面から内方へ突出するように形成されている。レバー１が仮係止位置にあるときに、仮係止突部２３は仮係止溝１２内に嵌まり込んで、上下の両開口縁に係止することで、レバー１を正逆双方向への回り止めをしている。また、図１０に示すように、仮係止突部２３の側面、つまり仮係止位置にあるレバー１を本係止位置へ向けて回動操作する場合に、回動方向前方に位置する側面には、仮係止突部２３の先端を先細りとする方向に傾斜する案内斜面２４が形成されている。この案内斜面２４は、図９に示すように、雌コネクタの解除突部１５が仮ロック片１３の仮係止突部２３を押して仮ロック片１３を後退させた後に、レバー１を本係止位置へ向けて回動操作すると案内斜面２４と仮係止溝１２の開口縁との摺接により、仮係止突部２３を仮係止溝１２から外方へ押し出すように作用する（仮係止状態の解除）。
【００２７】
さらに、一方のアーム部１７Ｂ（図８に示す左側）の内面には本ロック片２５が設けられている。本ロック片２５は、レバー１を本係止位置に保持するためのものである。本ロック片２５は、図１０に示すように、誘い込み凹所２１及び仮ロック片１３の延出方向とそれぞれ平行となる方向に延出している。本ロック片２５は上記した一方側のアーム部１７Ａ，Ｂにおいて肉厚方向に貫通して形成された窓孔２６内に配されている。そして、その延出方向の中央部においてヒンジ２７によって窓孔２６の開口縁と接続されている。このことによって、本ロック片２５はヒンジ２７を中心としてアーム部１７Ｂの肉厚方向へシーソ状に撓み変位可能である。本ロック片２５の一端部（図１０では上端部）であって、内面側には本係止突部２８が突出形成されている。本ロック片２５の外面はアーム部１７Ｂの外面とほぼ面一となっているが、内面側は本係止突部２８を除き、アーム部１７Ｂの内面から引っ込んで位置している。
【００２８】
本係止突部２８は図８に示すように、本ロック片２５の自然状態においてアーム部１７Ａ，Ｂの内面から内方へ突出するように形成されている。図１０に示すように、本係止突部２８における係止面２９は、本係止突部２８の先端面に対し所定の傾斜角度をもって傾斜するように形成されている。こうすることで、レバー１が本係止位置に至ったときに、係止面２９が水平方向を向き、逃がし溝１０の図示上側の開口縁に沿うようになることで面当たり状態で係止することができる。
【００２９】
一方、本ロック片２５において本係止突部２８が設けられている側と反対側の端部（図１０では下端部）は解除操作部３６となっている。本ロック片２５による本係止状態では、解除操作部３６とフード部３の外面との間には所定の隙間が保有されるようにしてあり、この隙間内に解除操作部３６を押し込むことで、本ロック片２５を、逃がし溝１０の図示上側開口縁から解除可能な状態にまで弾性変位させることができる。
【００３０】
図１０に示すように、両アーム部１７Ａ，Ｂの内面側には対応するカムフォロア９を誘導するカム溝３０が凹設されている。カム溝３０は、取付孔１９の図示上方領域に配され、一端側（入口側）は仮ロック片１３の図示上方を通ってアーム部１７Ａ，Ｂの側縁に開口するように形成されている。カム溝３０の他端側は取付孔１９と本ロック片２５との間の部位に延出している。このカム溝３０は雄コネクタ側Ｍの逃がし溝１０と常時連通する関係にある。
【００３１】
また、本実施例では雌コネクタハウジング４は仮嵌合に際し、フード部３に対し上方（第１嵌合方向）から嵌め入れられ、その後、本嵌合に至るまでは水平方向（第２嵌合方向）に沿って嵌め入れられる。カム溝３０の入口部分は上記した仮嵌合に際して、カムフォロア９を受け入れるために、カム溝３０を構成する一方の側面（図示上側の側面：第１面３７）の入口側端部はアーム部１７Ａ，Ｂの側縁より内方の部位からカムフォロア９の進入方向と反対方向へ立ち上げることで、カムフォロア９の受け口３１が図示上方へ向けて開口するようにしている。一方、カム溝３０を構成する一方の側面（図示下側の面：第２面３８）は受け口３１の図示下方まで延び、アーム部１７Ａ，Ｂの側縁に至る受け部３２となっている。この受け部３２は、雌雄コネクタＦ，Ｍが仮嵌合状態になったときに、カムフォロア９を受けることができる。
【００３２】
また、上記した受け口３１とカム溝３０との境界部分には第１嵌合方向と交差する方向に沿って突縁３３が突出形成されている。この突縁３３を構成する両側面のうちカムフォロア９の進入方向と対向する側の面は傾斜面３３Ａとなっていて、カムフォロア９の進入時には所定の節度感を与えつつ突縁３３の乗り越えを可能にしている。突縁３３を構成する両側面のうち突縁３３を乗り越えたカムフォロア９と対向する側の面は切り立った規制面３３Ｂとなっていて、カム溝３０の入口側に臨んだカムフォロア９の戻り止めを行っている。
【００３３】
さらに、両アーム部１７Ａ，Ｂの内面において操作部１８寄りの部位には一対のストッパ３４がそれぞれ内向きに突出形成されている。両ストッパ３４はレバー１が本係止位置に至ったときに、フード部３の規制縁３５にそれぞれ当接することによって、レバー１が本係止位置を越えて操作されるのを規制する。
【００３４】
次に、上記のように構成された本実施例の作用効果を説明する。雌雄のコネクタの嵌合前においては、レバー１は仮係止位置に保持されている。すなわち、レバー１は仮ロック片１３が仮係止溝１２の開口縁に係止することによって、仮係止位置に仮保持されている。
【００３５】
この状態で、雌コネクタをフード部３の上方に位置させ、第１嵌合方向に沿いつつフード部３内に浅い嵌め合いを行い雌コネクタをフード部３の受承面５上に支持させる。このとき、両カムフォロア９は突縁３３を乗り越えてカム溝３０の入口に臨む。作業者はカムフォロア９が突縁３３を乗り越えるときの抵抗およびその解放の感覚を節度感として感得し、雌雄コネクタＦ，Ｍが仮嵌合状態になったことを知る。一方で、雌雄コネクタＦ，Ｍが仮嵌合状態になると、図９に示すように、雌コネクタの解除突部１５の突出端部が仮係止溝１２内に進入し、仮ロック片１３の仮係止突部２３を押すため、仮係止突部２３が仮係止溝１２から押し出される方向に変位する。この状態で、レバー１を本係止位置へ向けて操作力を加えると、仮ロック片１３における係止突部のガイド面１６が仮係止溝１２の開口縁と摺接するため、係止突部がさらに後退し仮係止溝１２から外方へ退出する。こうして仮ロック片１３と仮係止溝１２との係止が解除されるため、レバー１を本係止位置へ向けての回動操作が許容される。
【００３６】
上記したレバー１の回動操作に伴い、雌コネクタのカムフォロア９がカム溝３０に沿って移動するため、雌雄コネクタＦ，Ｍはレバー１による倍力作用を受けて軽い操作力でもって雌雄コネクタＦ，Ｍの嵌合を進行させることができる。そして、カムフォロア９がカム溝３０の終端部に至ると、雌雄コネクタＦ，Ｍは正規深さまで嵌合され、雌雄の端子金具同士が正規状態で接続される。こうして、雌雄のコネクタが正規嵌合状態になるまでレバー１が回動操作されると、図４に示すように、レバー１の本ロック片２５の本係止突部２８がフード部３の逃がし溝１０の開口縁に係止するとともに、レバー１のストッパ３４がフード部３の規制縁３５に当接し、これ以上にレバー１が回動されるのが規制される。かくして、レバー１がロック状態に保持される結果、雌雄コネクタＦ，Ｍがロック状態に保持される。
【００３７】
以上のように、本実施例によれば、レバー１を本係止位置にロックする構造として、カムフォロア９を通過させる逃がし溝１０を利用している。したがって、従来のように、雌コネクタ側にレバー１に対するロック手段を設ける場合に比較して、コネクタの構成を簡素化することができる。また、従来のように、本ロック片２５をレバー１の操作部１８に設けると、多極化に伴ってアーム部１７Ａ，Ｂが長尺化されると、雌コネクタ側にロックを掛けることができなくなる事態が生じ得る。しかし、本実施例のように、レバー１を設けている側のコネクタにロックを掛けるようにすることで、レバー１の長尺化にも対応することができる。
【００３８】
また、本ロック片２５はシーソ状に撓む形式としたため、本係止突部２８と反対側の端部を操作することで、本係止状態を簡単に解除することができる。さらに、本実施例では、仮ロック片１３、誘い込み凹所２１、本ロック片２５が相互に平行に形成されるようにし、金型の開き方向に沿って形成されるようにしたため、金型構造を簡素化することができる。
【００３９】
さらに、アーム部１７Ａ，Ｂの内面において取付孔１９に向けて誘い込み凹所２１を形成したため、雄コネクタハウジング２にレバー１を組付ける際に、この誘い込み凹所２１によって両支持軸７の位置決めがなされる。したがって、レバー１の組み付け作業を円滑に行うことができる。
【００４０】
さらにまた、上記したように、雌コネクタを仮嵌合させるときには、カムフォロア９が突縁３３を乗り越えるようにしたため、作業者は乗り越え時の節度感を得て仮嵌合に至ったことを知ることができる。そして、乗り越え後は、突縁３３がカムフォロア９の戻り止めとして機能する。かくして、カムフォロア９が正規にカム溝３０の入口に導かれるため、その後のレバー１の回動操作を円滑に行うことができる。
【００４１】
＜他の実施例＞
本発明は上記記述及び図面によって説明した実施例に限定されるものではなく、例えば次のような実施例も本発明の技術的範囲に含まれる。
（１）上記実施例では雌コネクタを雄コネクタに対し上方から仮嵌合させる二段階での嵌合による形式を示したが、通常の一段階での嵌合による方式としてもよい。
（２）上記実施例では本ロック片２５は片側のアーム部１７Ｂのみに配したが、両側のアーム部１７Ａ，Ｂにそれぞれ対をなして配してもよい。
（３）上記実施例では本ロック片２５と仮ロック片１３とを平行に配したが、必ずしも平行配置でなくてもよい。
【符号の説明】
【００４２】
１…レバー
３…フード部
９…カムフォロア
１０…逃がし溝
１３…仮ロック片
２５…本ロック片
２７…ヒンジ
３０…カム溝
３２…受け部
３３…突縁
Ｍ…雄コネクタ（第１コネクタ）
Ｆ…雌コネクタ（第２コネクタ）
【図１】
0005994745.tif 000002
【図２】
0005994745.tif 000003
【図３】
0005994745.tif 000004
【図４】
0005994745.tif 000005
【図５】
0005994745.tif 000006
【図６】
0005994745.tif 000007
【図７】
0005994745.tif 000008
【図８】
0005994745.tif 000009
【図９】
0005994745.tif 000010
【図１０】
0005994745.tif 000011